(57)【要約】  患者に固定するための細長い医療用インプラント（２０、３０）であって、前記インプラントは骨並置用の根尖骨固定部分（２００、３００）と非螺刻歯冠部（２１０、３１０）とを備え、前記歯冠部（２１０、３１０）は、前記根尖骨固定部分（２００、３００）の長さ（Ｌ１）に等しいかまたはそれを超える長さ（Ｌ２）を有し、前記根尖骨固定部分（２００、３００）は、前記歯冠部（２１０、３１０）の最大外径（Ｄ２）に等しいかまたはそれより大きい最大外径（Ｄ１）を有する。【選択図】  図２Ｂ
2011527200.tif 000002
【特許請求の範囲】
【請求項１】
患者に固定するための細長い医療用インプラント（２０、３０）であって、前記インプラントは骨並置用の根尖骨固定部分（２００、３００）と非螺刻歯冠部（２１０、３１０）とを備え、前記歯冠部（２１０、３１０）は、前記根尖骨固定部分（２００、３００）の長さ（Ｌ１）に等しいかまたはそれを超える長さ（Ｌ２）を有し、前記根尖骨固定部分（２００、３００）は、前記歯冠部（２１０、３１０）の最大外径（Ｄ２）に等しいかまたはそれより大きい最大外径（Ｄ１）を有する、細長い医療用インプラント。
【請求項２】
前記歯冠部の前記長さ（Ｌ２）に対する前記根尖骨固定部分の長さ（Ｌ１）の比が０．２から０．５の範囲にある、請求項１に記載の医療用インプラント。
【請求項３】
前記歯冠部の前記最大外径（Ｄ２）に対する前記最大外径（Ｄ１）の比（Ｄ１／Ｄ２）が０．５から０．９５の範囲にある、請求項１ないし２のいずれかに記載の医療用インプラント。
【請求項４】
前記歯冠部の前記最大外径（Ｄ２）が前記根尖骨固定部分（２００、３００）の螺条または他の溝の谷の直径より小さい、請求項１ないし３のいずれかに記載の医療用インプラント。
【請求項５】
前記根尖骨固定部分がテーパ付き頂部を含み、前記頂部が前記インプラントの根尖端に向かってテーパされ、根尖端の直径が前記根尖骨固定部分の前記最大外径（Ｄ１）の半分未満である、請求項１ないし４のいずれかに記載の医療用インプラント。
【請求項６】
前記テーパ付き頂部が２５度から７５度の範囲のテーパ角（α）でテーパされる、請求項５に記載の医療用インプラント。
【請求項７】
前記歯冠部が回転非対称である、請求項１ないし６のいずれかに記載の医療用インプラント。
【請求項８】
前記歯冠部が前記医療用インプラントの歯冠端に向かってテーパされる、請求項１ないし７のいずれかに記載の医療用インプラント。
【請求項９】
前記インプラントの歯冠端における接続界面の陥凹が実質的に前記医療用インプラントの長手方向に向き付けられる、請求項１ないし８のいずれかに記載の医療用インプラント。
【請求項１０】
前記医療用インプラントが一体構成の単一部品から作られる、請求項１ないし９のいずれかに記載の医療用インプラント。
【請求項１１】
前記根尖骨固定部分が前記骨固定のための螺条を含む、請求項１ないし１０のいずれかに記載の医療用インプラント。
【請求項１２】
前記根尖骨固定部分が前記患者の頬骨に並置するように構成される、請求項１ないし１１のいずれかに記載の医療用インプラント。
【請求項１３】
前記歯冠部が歯肉に並置するように構成される、請求項１ないし１２のいずれかに記載の医療用インプラント。
【請求項１４】
前記歯冠部が、前記医療用インプラントの長手軸に沿って、骨組織に対し部分的に半径方向に並置し、かつ非骨組織に対し部分的に半径方向に並置するように構成される、請求項１ないし１３のいずれかに記載の医療用インプラント。
【請求項１５】
医療手技で患者に医療用インプラントを植設する方法であって、前記患者のマキシラの骨組織の顔面に第１陥凹を形成するステップと、前記マキシラの前記顔面における前記第１陥凹の位置から離隔して顔面頭蓋骨組織に外部から固定穴を形成するステップと、根尖固定部分を持つ医療用インプラントを前記固定穴に植設するステップと、前記医療用インプラントの非螺刻歯冠部を前記第１陥凹に隣接して配置するステップとを含む、方法。
【請求項１６】
前記医療用インプラントの前記歯冠部を歯肉組織の下に包埋するステップを含む、請求項１５に記載の方法。
【請求項１７】
前記包埋ステップが、前記医療用インプラントの前記歯冠部を前記歯肉組織と前記第１陥凹との間に包埋することを含む、請求項１６に記載の方法。
【請求項１８】
前記第１陥凹を形成する前記ステップが、長手方向延長を持つ前記第１陥凹を形成することを含み、前記固定穴を形成する前記ステップが、前記第１陥凹の前記長手方向延長に実質的に沿って前記固定穴を形成することを含む、請求項１５に記載の方法。
【請求項１９】
前記固定穴を形成する前に、前記頭蓋骨に骨入口部位の位置の印を付けるステップを含む、請求項１５に記載の方法。
【請求項２０】
前記固定穴を形成する器具のための案内路として前記第１陥凹を使用し、それによって前記固定穴と前記第１陥凹の整列を達成することをさらに含む、請求項１５に記載の方法。
【請求項２１】
前記固定穴が前記第１陥凹からの視線に沿って形成される、請求項１５に記載の方法。
【請求項２２】
前記固定穴を完全な可視性の下で形成し、前記医療手技の外科的作業領域の神経または血管のような敏感な解剖学的構造の損傷を防止することを含む、請求項１５に記載の方法。
【請求項２３】
前記マキシラの前記顔面頭蓋骨組織が前記マキシラの前記外側にその前記歯槽堤に隣接して位置される、請求項１５に記載の方法。
【請求項２４】
前記根尖固定部分を持つ前記医療用インプラントを植設する前記ステップが、前記根尖固定部分を前記固定穴で骨並置させることを含む、請求項１５に記載の方法。
【請求項２５】
前記医療用インプラントの非螺刻部分を粘膜の下に配置して、前記粘膜のカタルまたは刺激のような状態を予防的に治療または防止することを含む、請求項１５に記載の方法。
【請求項２６】
前記医療用インプラントの前記非螺刻部分の粗面を前記粘膜により少なくとも部分的に包埋するステップを含む、請求項１５に記載の方法。
【請求項２７】
前記医療用インプラントが請求項１ないし１４のいずれか１項に記載の医療用インプラントである、請求項１５ないし２６のいずれか１項に記載の方法。
【請求項２８】
請求項１５ないし２７のいずれかに記載した患者に医療用インプラントを植設する方法と、前記マキシラの歯槽頂に位置される前記医療インプラントの歯冠側で前記医療用インプラントの接続界面に歯科修復物を固定するステップとを含む、歯科修復物を形成する方法。
【発明の詳細な説明】
【技術分野】
【０００１】
本発明は、一般的に医療用インプラントおよび当該インプラントの植設方法の分野に関する。特に、本発明は歯科インプラントおよびそれらの植設方法に関する。
【背景技術】
【０００２】
種々のタイプの医療用インプラントが、例えば患者の顎に植設するように意図された固定要素として知られている。植設後にこれらの固定要素は、接続界面を介して例えば歯科修復物を支持する。
【０００３】
疾病のような様々な理由のため、患者の特定の骨領域で骨質が劣ることがある。無歯顎または部分的無歯顎患者では、顎骨組織がひどく分解吸収されることがある。したがって、そのような損傷または分解吸収された骨組織領域に従来の医療用インプラントを充分に固定することは、困難または不可能であるかもしれない。例えばマキシラ（Ｍａｘｉｌｌａ）すなわち上顎に、マキシラおよびオスザイゴマティクス（ｏｓ  ｚｙｇｏｍａｔｉｃｕｓ）すなわち頬骨の両方に固定される特殊な細長い固定要素が使用されることがある。従来、固定要素は二重固定技術によってマキシラおよび頬骨に取付け可能である。マキシラと頬骨との間に、固定要素は頭蓋骨の空洞、上顎洞腔を介して延びる。
【０００４】
ＵＳ５３６２２３６およびＵＳ５５６４９２６に、そのような細長い固定要素、および該固定要素を植設するための方法が開示されている。固定要素は異なる直径の２つの略筒状部分を有する。固定要素の螺刻根尖端部分は小さい直径を有し、頬骨に設置するように意図される。固定要素の螺刻歯冠部分は大きい直径を有し、マキシラに設置するように意図される。固定要素は、骨組織に２つの整列した穴を穿孔することによって植設される。固定要素の根尖小径部分は、マキシラの大径穴を通過して、頬骨の小径穴に螺入される。根尖小径部分による自己螺入は第２穴で行われるが、大径部分はマキシラの第１大径穴に自己螺入される。したがって、固定要素は適用されたときに、確実に二重固定することができる。
【０００５】
しかし、ＵＳ５３６２２３６およびＵＳ５５６４９２６に開示されているような固定要素および方法は両方ともさらに改善することができ、あるいは代替物を設けることができる。代替的固定要素はＷＯ２００５／０７９６９７に開示されている。該固定要素は、先端に配置された第１固定部分と、固定要素の基部に配置された第２固定部分と、第１および第２固定部分の間の中間部分とを含む。
【０００６】
例えば、上顎洞の内側でかつ内側から作業することは視認性、空間等の制限のため困難である。上顎骨のアクセスホールは時々、上顎洞腔内への視野を得るために、上顎洞腔に向かって開口される。しかし、これは面倒であると共に患者にとって治癒の複雑化をも意味する。
【０００７】
したがって、改善された医療用インプラントおよび／または医療用インプラントを植設するための医学的方法が必要とされている。したがって、改善された医療用インプラントおよび／または医療用インプラントを植設するための方法があれば有利であろう。特に、骨組織における確実な固定、外科的柔軟性の向上、例えば医療手技の視覚的フィードバックの改善による外科的管理の向上、および／または例えば手術時間、患者回復時間、潜在的副作用等の低減による費用効率性を可能にする、医療用インプラントおよび／または医療用インプラントを植設するための医学的方法は有利であろう。
【発明の概要】
【０００８】
したがって、本発明の実施形態は、添付の特許請求の範囲に記載する医療用インプラントおよび医療用インプラントを植設する方法を提供することによって、上で明らかにしたような先行技術の１つ以上の欠如、不利点、または問題を単独でまたは任意の組み合わせで軽減、緩和、または排除するように努めることが好ましい。
【０００９】
本発明の１態様では、医療用インプラントを提供する。該医療用インプラントは、患者に固定するための細長い医療用インプラントである。該インプラントは骨並置用の根尖骨固定部分と非螺刻歯冠部とを備え、歯冠部は根尖部分の長さを超える長さを有し、根尖部分は、歯冠部の最大外径に等しいかそれより大きい最大外径を有する。
【００１０】
本発明の別の態様では、医療手技で患者に医療用インプラントを植設する方法を提供する。該方法は、患者のマキシラの骨組織の顔面に第１陥凹を形成するステップと、マキシラにおける第１陥凹の位置から離隔して顔面頭蓋骨組織に外部から固定穴を形成するステップと、根尖固定部分を持つ医療用インプラントを固定穴に植設するステップと、医療用インプラントの非螺刻歯冠部を第１陥凹に隣接して配置するステップとを含む。
【００１１】
該医療用インプラントおよび方法は、ブリッジまたは単数歯／複数歯代用物に対するインプラント界面のより有利な配置および位置決めを可能にする。これは次にあまり嵩張らない代用物の使用をもたらす。さらに、インプラントは頬骨から代替経路を描き、それは口腔内であまり大きい空間を占有しない。これは審美的理由からかなり有利であると考えられ、舌のためにより大きい空間をもたらす。該方法に従って頬骨に固定されたときに、歯科修復物に関して本発明のインプラントの有利な位置は、より整列した荷重伝達を可能にし、それは周囲身体部をも楽にする。本発明のさらなる実施形態は従属請求項に記載されており、本発明の第２およびそれ以降の態様の特徴は、必要な修正を加えて第１態様の場合と同様である。
【００１２】
本発明の一部の実施形態は、改善された固定をもたらす歯科修復物のフィクスチャを提供する。
【００１３】
本発明の一部の実施形態はまた、頭蓋骨組織における確実な固定およびマキシラの歯槽堤における接続界面をもたらす、改善された医療用インプラントをも提供する。
【００１４】
本発明の一部の実施形態は、植設を容易にする医療用インプラントを提供する。
【００１５】
本発明の一部の実施形態は、植設の可視性が改善される医療用インプラントの植設方法を提供する。
【００１６】
したがって、一部の実施形態は植設の精度および安全性の向上をもたらす。
【００１７】
一部の実施形態は、外科医が実施するのにより安全であり、かつあまり複雑でない医療用インプラントを植設する医療手技を提供する。一部の実施形態は、外科的柔軟性の向上をもたらす。一部の実施形態は、例えば医療手技の視覚的フィードバックの改善によって、外科的管理の向上をもたらす。一部の実施形態は、例えば手術時間、患者会副時間、潜在的副作用等の低減による費用効率性をもたらす。
【００１８】
本明細書で使用する場合の用語「含む（備える）／含んでいる（備えている）」は、記載した特徴、整数、ステップ、またはコンポーネントの存在を明記するものと解釈されるものであって、１つまたはそれ以上の他の特徴、整数、ステップ、コンポーネント、またはそれらの群の存在または追加を排除するものではないことを強調しておきたい。
【図面の簡単な説明】
【００１９】
本発明の実施形態が可能なこれらのおよび他の態様、特徴、および利点は、添付の図面を参照する本発明の実施形態の以下の説明から明らかになるであろう。
【００２０】
【図１Ａ−１Ｂ】図１Ａは、先行技術の医療用インプラントの斜視図である。図１Ｂは、先行技術の医療用インプラントの斜視図である。
【００２１】
【図２Ａ−２Ｃ】図２Ａは、医療用インプラントの実施形態の斜視図である。図２Ｂは、図２Ａの医療用インプラントの側面図である。図２Ｃは、図２Ａの医療用インプラントの歯冠端部の断面図である。
【００２２】
【図３Ａ−３Ｃ】図３Ａは、医療用インプラントの別の実施形態を示す斜視図である。図３Ｂは、図３Ａの医療用インプラントの側面図である。図３Ｃは、図３Ａの医療用インプラントの歯冠端部の断面図である。
【００２３】
【図４Ａ−４Ｃ】図４Ａは、洞腔経由の従来の医療用インプラント植設手技を示す略図である。図４Ｂは、洞腔経由の従来の医療用インプラント植設手技を示す略図である。図４Ｃは、洞腔経由の従来の医療用インプラント植設手技を示す略図である。
【００２４】
【図５Ａ−５Ｂ】図５Ａは、医療用インプラントの植設を示す正面図である。図５Ｂは、医療用インプラントの植設を示す側面図である。
【００２５】
【図６】図６は、一実施形態の医療手技を示すフローチャートである。
【発明を実施するための形態】
【００２６】
本発明の実施態様は添付の図面を参照しながら説明されるであろう。しかしながら、本発明は、多くの異なる形態で実施されることができ、本明細書中に記載される実施形態に限定されると解釈されるべきではない。むしろ、これらの実施形態は、本開示が充分かつ完全であり、当業者に本発明の範囲を充分に伝達できるように提供される。添付の図面において例示される実施形態の詳細な説明において使用される用語は、本発明を制限することを意図していない。図面において、類似の数字は類似の要素を示す。
【００２７】
以下の説明は、頬骨のような頭蓋骨に固定するための歯科インプラントに適用可能な本発明の実施形態に焦点を合わせる。そのような固定歯科インプラントはフィクスチャとも呼ばれる。しかし、本発明がこの用途に限定されないことは理解されるであろう。
【００２８】
図１Ａおよび図１Ｂに示す医療用インプラント１００、１０１は、２つの長手方向に隣接する筒状セグメントを備える。図１Ａは、本願の出願と同一所有者のＵＳ５３６２２３６およびＵＳ５５６４９２６の図１に相当し、あらゆる目的のためにそれらの内容全体を参照によって本書に援用する。該インプラントは基本的に、相互に隣接しかつ一直線に並んだ２つの筒状セグメントから構成され、第１の歯冠セグメント１は第２の根尖セグメント２より大きい直径を有する。
【００２９】
インプラントの歯冠端から延びて筒状歯冠セグメント１に接続される取付け部分を除いて、インプラントの外側は螺刻される。外ねじは、筒状歯冠セグメント１の第１ねじ４および筒状根尖セグメント２の第２ねじ５を含む。ピッチはどちらのねじ４、５も同じであり、筒状セグメント間の境界域で併合される。第１ねじ４の内径は第２ねじ５の外径より大きい。ねじ４、５はセルフタッピングしている。
【００３０】
対称的中心穴１７は根尖端６から延び、根尖セグメント２の長さの約２分の１に相当する延長を有する。セグメント２にその長手方向に対称に配設された２つの貫通スリット７、８は、根尖端６付近に中心軸に対して垂直な面から延びる。スリット７、８は、アブレーションによって除去される骨物質の輸送のために、根尖セグメント２の外側とその中に配設された対称中心穴１７との間の連通を確立する。根尖セグメント２の外側は、根尖端６に向かって斜切される（べべリング１６）。
【００３１】
取付け部３は、筒状歯冠セグメント１の外径に相応する直径を持つ筒状チャンバ内に包含される。取付けセグメント３は、円筒軸線に対して４５度の角度で平面により二等分された円筒体の形状を有するベース部９を含む。ベース部９の円形基底は、それと併合する筒状歯冠セグメント１の歯冠端に接続される。筒状歯冠セグメント１に最も近い位置に、ベース部９は環状フランジ１４を有し、そこから歯冠端の方向に環状溝１５が続く。ベース部９の端面１０は二等分面によって画定され、滑らかに角取りされたその歯冠域はベース部９の円筒マントルと接合し、ビーディングはベース部の根尖部分に向かって漸減する。べべリングのため、端面１０のプロファイルは略円形である。端面１０はその中心に、インプラント１００の長手軸Ａに対し４５度の角度に延びる穴１２を有する。穴１２では、ベース部９は、ベース部９から遠ざかる方向にテーパされた円錐台１１の形成の下に延長される。円錐台１１のマントル表面１３および環状端面１０は、ねじ手段によってベース部に取り付けることのできる歯科補綴物またはブリッジ（図示せず）のアバットメントを密封するように設計される。
【００３２】
図１Ｂに示すインプラント１０１は、接続界面が円錐台形部１１の代わりに六角形ユニット１１１を含む点が、図１Ａのインプラント１００と異なる。
【００３３】
図２Ａおよび２Ｂは、細長い医療用インプラント２０の実施形態を示す。細長い医療用インプラント２０は、患者の骨組織に固定するように考案されている。
【００３４】
インプラント２０は、骨並置のための螺条付き根尖骨固定部２００を含む。テーパ付き頂部２０１が根尖部分２００に設けられる。頂部はインプラント２０の根尖端に向かってテーパされる。インプラント２０のテーパ付き頂部２０１は、２５度から７５度の範囲のテーパ角度でテーパされる。テーパ付き頂部のおかげで、植設後に穴の入口が容易に見つけられる。インプラント２０は穴内でホーミングし、セルフセンタリングする。穴が部分的に隠れているか、あるいはよく見えない場合に、これは特に有利である。こうして、テーパ付き頂部２０１はインプラント２０の根尖端の穴内への挿置を容易にする。
【００３５】
根尖部分２００は、テーパ付き頂部２０１を除き、筒状とすることができる。根尖部分２００はまた、植設後のインプラントの一次安定性を改善するために、頂部２０１に向かってわずかにテーパすることもできる。
【００３６】
テーパ付き頂部２０１により、根尖端の直径は根尖部分の最大外径（Ｄ１）の半分に満たない。
【００３７】
代替的に、根尖部分２００は、テーパ部分２０１の方向にテーパリングして、円錐状または少なくとも部分的に円錐状とするすることができる。テーパ部分２０１は一部の実施形態では、根尖端にベベルを含むことができる。
【００３８】
螺刻された根尖骨固定部２０１の螺条は、骨組織に植設した後、回転運動および直線運動の間の切替えに使用される。これは、インプラント２０を回転することによって、インプラント２０が穴内にその長手方向に螺入されることを意味する。螺条の山と谷の構造は、骨組織内のインプラント２０の一次安定性をもたらす。
【００３９】
他の実施形態では、インプラントは代替的に、または追加的に、螺条以外の他の骨固定構造を含むかもしれない。根尖部分は他の骨係合界面を備えるかもしれない。根尖部分は例えば、骨内の摩擦係合による固定をもたらすように工夫することができる。根尖部分の骨組織への固定は、プラグまたはペグのように、並置された骨組織に向かって圧力をもたらす構造によって達成されるかもしれない。そのような構造は、環状リブであるかもしれない。植設時間と一次安定性との間のみならず、インプラントの長期骨結合との間のトレードオフも行われるかもしれない。
【００４０】
インプラント２０はさらに非螺刻歯冠部２１０を含む。非螺刻とは、歯冠部２１０に沿って螺条が存在しないことを意味する。この文脈において非螺刻の代替的用語は無螺刻、すなわち歯冠部２１０に設けられた螺条の山と谷の構造が存在しないことである。歯冠部２１０はマクロレベルでは実質的に平滑である。歯冠部２１０のマクロ粗さ（下で説明）は、固定部分のそれより実質的に低い。
【００４１】
これは、包埋されている筋肉、血管、または神経を含め、歯肉のような並置された軟組織を刺激または損傷しないように構成されたインプラント２０の部分をもたらす。しかし、無螺刻歯冠部の表面には、下で明らかにする通り、ミクロレベルの表面粗さが設けられるかもしれない。
【００４２】
他の実施形態では、非螺刻という用語は、歯冠部２１０の実質的に平滑な延長に骨固定構造が無いことを含む。歯冠部２１０には、並置された軟組織に影響を及ぼすかもしれない突起が無い。
【００４３】
ＵＳ５３６２２３６およびＵＳ５５６４９２６に開示されているような従来の固定要素は、適用されたときに組織と並置される螺刻部を含むかもしれない。しかし、固定要素の螺刻部は、例えば上顎洞腔の組織を刺激または損傷するかもしれない。また、上顎洞の組織が固定要素の根尖部の螺条に捕捉されるかもしれず、それは頬骨における骨結合および二次安定性の低下につながり、最終的に固定されたインプラントの緩みを生じるかもしれない。
【００４４】
本発明の実施形態は、軟組織並置の改善をもたらす。非螺刻部分２１０のおかげで、歯科インプラントの非螺刻部分で軟組織がインプラントに並置されたときに、軟組織の正常な生理学的機能がもたらされる。軟組織の刺激または損傷、粘膜のカタルまたは刺激のような状態が効果的に防止される。この防止に予防治療が含まれる。
【００４５】
歯冠部２１０は表面にミクロ粗さを有するかもしれず、その場合、歯冠部２１０は組織に優しい部分を備えるように適応される。
【００４６】
以下では簡潔を期すために「表面」ともいうインプラント２０の外面は、医療用インプラントを周囲の骨組織に機械的に固定するために、固定部分２００に例えば１つまたは幾つかの螺条の形のマクロ粗さを持つトポグラフィを有することができる。トポグラフィは中でも特に、対象物、ここでは医療用インプラントの領域の表面の特徴のスタディまたは詳細な記述として画定される。医療用インプラントは外面を有し、その形状寸法はマクロスケールおよびミクロスケールの両方で画定されたトポグラフィに追従する。
【００４７】
マクロ粗さは医療用インプラントの外側形状寸法を画定する。図２Ａおよび３Ａで、マクロ粗さは医療用インプラント２０または３０の螺刻部の形で示される。加えて、螺刻された外面４０のマクロ粗さはそれ自体、例えば表面の多孔率として定義される表面粗さを有することがあるが、これを以下ではミクロ粗さという。表面のマクロ粗さは、例えば医療用インプラントの場合、ミリメートル範囲に存するが、マクロ粗さはさらに、螺刻部または無螺刻部のサブミリメートル範囲の溝のような、より微細な構造に小分割することができる。
【００４８】
さらに、医療用インプラントの外面は、ミクロン範囲のミクロ粗さを有するかもしれない。ミクロ粗さは、この文脈で医療用インプラントの実施形態の表面のトポグラフィを画定する。対照的に、上述したマクロ粗さは、医療用インプラントの外側輪郭によって画定される。
【００４９】
例えばインプラント２０がセラミックインプラントである場合、外面トポグラフィは機械加工し、かつその処理外面無しで緻密に焼結することができる。すなわち焼結後に、セラミックの医療用インプラントは非常に微細なミクロ粗さを有する。歯冠部２１０は、そのような表面を有することが有利であるかもしれない。しかし、そのような平滑な外面は、医療用インプラントの骨結合に関しては不都合な特性を有する。したがって、固定部分は、未処理の焼結外面と比較して増大したミクロ粗さを有する肌理の粗いまたは起伏のある外面を設けることができ、それはその骨結合を改善する。そのような肌理の粗いまたは起伏のある外面は、例えばミクロン範囲のＲａ値（下述する）の外面粗さを有する多孔性粗面層の形で設けることができる。本願と同一出願人の例えばＷＯ２００５／０２７７７１は、セラミック層がその上に配設された緻密に焼結されたセラミックの医療用インプラントを開示しており、その内容全体を参照によって本書に援用する。歯科インプラントのセラミック層およびしたがって外面には、下にある緻密に焼結されたセラミック材より大きい多孔率を有し、あるいはより多くの細孔を有する表面が設けられる。このようにして、機械的強度の要件を満たすセラミックの医療用インプラントが提供され、骨結合のかなりの改善が達成される。同時に、歯冠部２１０の微細なミクロ粗さを有する部分で有利な特性が達成される。代替的に、セラミックの医療用インプラントの外側のミクロ粗さは、焼結外面を改質することによって、例えばＵＳ‐Ａ１‐２００５／０１０６５３４に開示されているように、例えば化学的または機械的研磨方法によって、そのセラミック基板上に設けることができる。
【００５０】
医療用インプラント２０は、酸化チタンのような他の生体適合性材料から製造することができる。この場合、インプラントは所望の表面粗さを備えることができる。本願と同一出願人のＷＯ０１７４４１２またはＷＯ０３００３９３６に開示されるように、例えばＴｉＵｎｉｔｅ（登録商標）表面を設けることができ、あらゆる目的のためにそれらの内容全体を参照によって本書に援用する。ＴｉＵｎｉｔｅ（登録商標）表面は比較的高い表面粗さおよび多孔率を有する。
【００５１】
そのような適切な表面粗さを有する医療用インプラントは、マクロ粗さ、すなわちインプラントの例えば螺条のマクロ構造によって、植設直後に骨組織における一次安定性を達成する。医療用インプラントは次いで約３ないし４ヶ月の治癒時間内に周囲の骨組織と骨結合するので、二次安定性が達成される。すなわち、骨組織内に螺入された医療用インプラントの螺刻固定部２００と骨組織との間の永久結合がもたらされる。しかし、植設から特定の時間中に、骨組織における医療用インプラントの総合安定性は、初期安定性より低い特定の安定性まで低下する。すなわち医療用インプラントの安定性は、植設後に安定性の下落を示す。次いで骨成長が加速し、骨結合が達成される。骨組織がその内部に確実に成長していく粗面の細孔は、二次安定性をもたらす。加えて、粘膜もまた、微細なマクロ粗さではなく粗いミクロ粗さを有する表面に有利に並置することができる。
【００５２】
表面粗さの尺度は、Ｒａ値（平均粗さ）、Ｒｔ値（最大粗さ）、Ｓａ値等のようなパラメータである。中間または平均粗さ（Ｒａ）は、関心表面全体にわたる多数の測定値の絶対距離値の平均と定義される。Ｓａは３Ｄまたは面積をベースとする同等の振幅パラメータである。
【００５３】
粗さ測定は、例えば国際標準で決定された手順に従って実行することができる。しかし、そのような国際ＩＳＯ標準に準拠する測定は、歯科インプラントに実現することが、例えばその小さい表面のため、難しいことが分かるかもしれない。
【００５４】
先行技術の歯科アバットメントおよび歯科インプラントの表面粗さを定義しかつ測定する試みが成されている（例えば内容全体を参照によって本書に援用するＷｅｎｎｅｒｂｅｒｇ、Ａｎｎらの「Ｄｅｓｉｇｎ  ａｎｄ  Ｓｕｒｆａｃｅ  Ｃｈａｒａｃｔｅｒｉｓｔｉｃｓ  ｏｆ  １３  Ｃｏｍｍｅｒｃｉａｌｌｙ  Ａｖａｉｌａｂｌｅ  Ｏｒａｌ  Ｉｍｐｌａｎｔ  Ｓｙｓｔｅｍｓ」、ＪＯＭＩ、Ｖｏｌ．８、Ｎｏ．６、６２２〜６３３頁（１９９３）を参照されたい）。Ｗｅｎｎｅｒｂｅｒｇ論文は、２つの表面粗さパラメータ、すなわち（ｉ）Ｒｔ＝表面のプロファイルの山対谷間高低差の最大値（６２３頁参照）、および（ｉｉ）Ｒａ＝山対谷間高低距離の平均値、を定義している。
【００５５】
Ｗｅｎｎｅｒｂｅｒｇの定義を使用すると、インプラントの平滑な機械加工および／または研磨された表面は、約１０ミクロン未満のＲｔおよび約０．６ミクロン未満のＲａを有する。
【００５６】
歯冠部２１０は、根尖部分２００の長さＬ１を超える長さＬ２を有する。根尖部分２００は、歯冠部２１０の最大外径Ｄ２より大きい最大外径Ｄ１を有する。特定の実施形態では、Ｄ１はＤ２と等しい。
【００５７】
根尖骨固定部分２００は、下で例証するように、患者の頬骨に並置するように工夫されている。
【００５８】
歯冠部２１０は少なくとも部分的に、マキシラの外側の頬の歯肉および筋肉組織を含む軟組織に並置するように工夫されている。一実施形態では、歯冠部２１０はその全長に沿って筒状である。
【００５９】
歯冠部２１０は、骨組織に部分的に並置しかつ非骨組織に部分的に並置するように工夫することができる。例えば植設後にマキシラの方向に向けられる歯冠部の放射状部分は、マキシラに並置させることができる。インプラント２０はマキシラの外側に配置されるので、マキシラから離れて軟組織の方向に向けられる歯冠部２１０の外側放射状部分は、この軟組織と並置するように工夫することができる。
【００６０】
実施形態では、歯冠部２１０は、根尖部分２００の螺条の最大外径Ｄ１の部分の内径より小さい直径Ｄ２を有する。
【００６１】
Ｄ２はＤ１より小さいので、複数のインプラントは、それらの歯冠端を相互に近接して配置することができる。したがって、複数のインプラントがこのために使える狭い空間に収まるので、歯科修復物の安定性が改善される。
【００６２】
実施形態では、歯冠部は回転非対称とすることができる（図示せず）。これは、インプラントを位置決めするときに、解剖学的柔軟性の改善をもたらす。
【００６３】
実用的な実施形態では、図２Ａ〜２Ｃおよび図３Ａ〜３Ｃに示す通り、歯科インプラントは、次のようなおおよその範囲および／または値の長さおよび直径を有することができる：
全長（Ｌ１＋Ｌ２）：３０ｍｍ〜５５ｍｍ
Ｌ１  典型的には１５ｍｍ
Ｌ２：１５〜４０ｍｍ
比（Ｌ１／（Ｌ１＋Ｌ２））：約０．２５〜０．５０
比（Ｌ１／Ｌ２）：約０．３５〜１．０
Ｄ２：典型的には根尖部分２００の螺条または他の溝の谷の直径より小さい
比（Ｄ１／Ｄ２）：０．５〜０．９５
【００６４】
実施形態では、根尖部分の長さ（Ｌ１）と歯冠部の長さ（Ｌ２）の比は０．２〜０．５の範囲内である。
【００６５】
インプラントの全長は、根尖部分の長さと歯冠部の長さを足したものである。さらなる除外部分、例えば歯冠部から突出する部分は全長に含まれない。さらなる突出部分は、例えばインプラントの歯冠端から延びる取付け部分であるかもしれない。
【００６６】
従来、ＵＳ５３６２２３６およびＵＳ５５６４９２６に開示されているような固定要素は、筒状セグメントの共通軸線に対して傾斜している軸線を中心に形成された雌ねじを有する穴を有する。補綴物の雄ねじは雌ねじと螺合して、そのような補綴物を固定要素に固定させる。しかし、傾斜角のため、取付け工程は煩雑になるかもしれない。
【００６７】
伝統的に、従来の頬骨インプラントは、図４Ａ、４Ｂ、または４Ｃに示すように、歯槽堤から口蓋方向にすなわち口腔の内側に向かって距離を置いて配置される歯冠端を有する。したがって、頬骨インプラントの歯冠端からマキシラの本来の歯槽堤の位置までの距離を架橋しなければならないので、歯科修復物を解剖学的に正しい位置に設けることが難しいかもしれない。
【００６８】
しかし、本発明の実施形態に従って、これらの問題は解決される。医療用インプラントの接続界面は、マキシラの歯槽堤にまたはそれに近接して設けることができる。
【００６９】
さらに詳しくは、インプラント２０はさらに、アバットメントおよび／または義歯またはブリッジのような歯科修復物の取付けのための接続界面２２０を備える。
【００７０】
接続界面２２０は、インプラント２０の歯冠端に、医療用インプラントの実質的に長手方向に配設された雌螺条を備えることができる。
【００７１】
図１Ａおよび１Ｂに示すような従来のインプラントは、インプラント１００の長手軸に対して例えば４５度の角度に延びる穴１２を有する。穴１２は、歯科修復物を担持するアバットメントを受容するための接続界面の向きを画定する。角度配向のため、穴１２の向きは植設後のインプラントの回転位置に依存する。したがって、インプラントが理想的な咬合面に向かって定められた位置に螺入されるように、注意を払わなければならない。
【００７２】
図２Ｃに示すように、実施形態の接続界面２２０の螺刻内穴２２１は、インプラント２０の長手軸に実質的に沿うように向き付けられる。したがってアバットメント接続界面は、医療用インプラント２０の長手方向に対して略直角に配設される。したがって植設後のインプラントの回転方向に関係なく、アバットメントの取付けが容易になり、有利である。アバットメントは、例えばブリッジ、義歯、または同様の歯科修復物を取り付けるためにインプラント２０の長手軸に対して傾斜した第２接続界面を有することがある。
【００７３】
インプラント２０は単一の一体品として製造することができる。インプラント２０は代替的に、少なくとも２つの相互接続可能な部品に分割することができる。例えば根尖部分と歯冠部分との間に接続界面を設けることができる。
【００７４】
次に、インプラント２０、３０の適用について、手術方法に関連して説明する。
【００７５】
図４Ａ、４Ｂ、および４Ｃは、洞腔を介して二重固定によって医療用インプラントを植設するための従来の医療手技を示す略図である。図１Ａおよび図１Ｂに関連して上述したような固定要素は、異なる直径の２つの部分を有する。固定要素１′の螺刻根尖端部分２′はそのうちの小さい方の直径を有し、頬骨Ｚの内側に配置するように意図される。固定要素１′の螺刻歯冠部４′はそのうちの大きい方の直径を有し、マキシラＭの口蓋領域に配置するように意図される。固定要素１′は、骨組織に２つの整列した穴を穿孔することによって植設される。歯冠部を固定するのに適した直径を有する第１穴がマキシラＭに穿孔される。穿孔は頭蓋の上顎洞腔１７に続行される。その後、固定要素の根尖部分を固定するための適切な直径を有する第２穴５′が、上顎洞１７の内側から頬骨Ｚに穿孔される。固定要素の根尖小径部分がマキシラＭの穴に挿通され、頬骨Ｚの穴に螺入される。根尖小径部分による自己螺入は第２穴で行われる一方、大径部分はマキシラの第１穴に自己螺入される。こうして固定要素は二重固定される。図４Ｂには、複数のインプラント１０１および４００、４０１、４０２、４０３に固定された歯科ブリッジ４１０が示されている。
【００７６】
しかし、この従来の方法は上述の通り、多少の欠点を有する。この従来の方法とは対照的に、改善された方法を提供する。該方法の実施形態では、第１陥凹がマキシラの外側骨面に形成され、それはマキシラの顔面側、すなわち口腔の外側に向けられる。マキシラから骨組織を外科的に除去することにより第１陥凹が作成される。第１陥凹は、マキシラの外側からその歯槽頂に向かって固定要素の歯冠部を通過させるように作られる。第１陥凹は通常、上顎洞腔内まで延びず、第１陥凹の下にある残存量の骨組織は維持される。第１陥凹は普通、頭蓋の第１陥凹と同じ側に位置する頬骨の骨組織の外側に向けられた長手方向の延長を有する。その長手方向の延長に沿って、第１陥凹は、頬骨に固定穴を形成するときの器具用の案内路として設けることができる。頬骨に穴を穿設するときに、例えばドリルを第１陥凹によって固定穴の入口部位に向かって案内することができる。こうして、マキシラの外面の第１陥凹の長手方向延長は、頬骨の固定穴の長手方向延長と整列される。本発明に係る穿孔作業などによる固定穴の形成は、外科的作業領域の良好な可視性の下で行うことができる。その後、固定穴に医療用インプラントの植設が行われる。医療用インプラントは、このように適用されるときに、固定穴内の根尖端から第１陥凹における歯冠部まで、マキシラの歯槽頂に向かって延びる。
【００７７】
医療用インプラントを患者に植設するこの方法のさらなる実施形態について、今から説明する。特定の実施形態について、図５Ａ、５Ｂ、および図６を参照しながら以下でさらに解明する。図５Ａは、マキシラ外に植設された医療用インプラント２０を示す正面図である。図５Ｂは、同じ状況を示す側面図である。加えて、本発明のマキシラ外方法と従来の上顎洞腔横断方法との間の違いを例証するために、純粋に例証を目的として、従来のインプラント１０１を示す。例証を目的として、従来のインプラントは、本発明のインプラントと略同一の口内位置にブリッジまたは類似物と相互接続するために取り付けられたものとして開示される。この例証は、そのような仮説的事例における根尖部分が全く異なる位置に来ることを明らかにする。インプラントをどこにどのように固定することができるかは、支持骨の骨質が決め手になるので、それぞれのインプラントの歯冠端部分の異なる結果位置を示すことがおそらくより正確であっただろう。しかしこの状況は示されておらず、想像する必要がある。従来型のインプラントであってしたがって従来の方法によって適用されるインプラントは、本書で請求する技術にシフトすることによって必要になる空間より大きい空間を口蓋腔によって占有される危険性があることは、後になって考えると、理解し難いとは考えられない。
【００７８】
本発明の医療手技で、医療用インプラントが患者に植設される。医療手技は、患者のマキシラの骨組織の顔面に第１陥凹を形成するステップと、マキシラの顔面における第１陥凹の位置から距離を置いて顔面頭蓋骨組織に外側から固定穴を形成するステップと、医療用インプラントの根尖固定部分を固定穴に置き、医療用インプラントの非螺刻歯冠部を第１陥凹に隣接して配置して、医療用インプラントを植設するステップとを含む。
【００７９】
頭蓋は通常、多数の頭蓋骨から構成される。例えば成人の人間の頭蓋は２２個の骨を含む。マンディブル（ｍａｎｄｉｂｌｅ）すなわち下顎を除いて、頭蓋骨は全て縫合線、骨化によって形成される半剛性結合によって一体に接合され、それによってシャーピー線維の存在が頭蓋骨間のわずかな柔軟性を可能にする。
【００８０】
方法の実施形態では、顔面頭蓋骨組織は頬骨の頬骨突起に含まれる。頬骨突起は、頭蓋の残りの部分からの突起部である。その大部分は頬骨に属するが、それに寄与する他の骨、すなわち前頭骨、マキシラ、および側頭骨も存在する。
【００８１】
固定穴を形成するときに、マキシラまたは頬骨の孔を通過する例えば神経または血管のような敏感な解剖学的構造を損傷しないように、注意を払わなければならない。
【００８２】
該方法は、固定穴における固定が行われた後、医療用インプラントの歯冠部を歯肉組織の下に包埋するステップを含むかもしれない。該方法は、医療用インプラントの歯冠部を歯肉組織と第１陥凹との間に包埋するステップを含むかもしれない。歯肉組織の弁はこの目的のために元の位置に戻し、治癒のために縫合することができる。
【００８３】
該方法は、長手方向に延びる第１陥凹を形成するステップを含むかもしれず、固定穴の形成は、第１陥凹の長手方向延長に実質的に沿って固定穴を形成することを含む。一実施形態では、固定穴の形成は、孔径、穴長、および穴の長手方向の向きを持つ筒状穴を穿孔することによって行われる。
【００８４】
穴径は、根尖端部分の直径と根尖（螺刻）部分自体の直径との間の寸法にすることが好ましい。テーパ付き根尖部分の螺条は当初、骨の固定穴内に容易に導入することができる。次いで、インプラントをさらに導入するときに、穴の直径に対して根尖部分の直径がより大きいため、好適な方法に従って固定安定性が確保される。テーパ部分から始まる螺条は、穴内へのインプラントの導入中に、インプラントが穴の奥にさらにタッピングされることを確実にする。テーパ角は図面において符号αで定義され、２５度から７０度の間である。
【００８５】
第１陥凹の形成は、一実施形態では、マキシラの顔面における長手方向延長、最大深さ、および最大幅を有するくぼみの形成とすることができる。最大幅は穴径に等しいかそれ以下である。頭蓋骨は一実施形態では、患者の頭蓋の顔面側のくぼみ位置のマキシラであり、筒状穴の穿孔はマキシラの頬骨突起における筒状穴の穿孔であり、穴の穿孔はくぼみの長手方向延長に実質的に沿って行われる。
【００８６】
固定は、医療用インプラントの根尖部がその歯冠部より大きい直径を有することにより、達成することができる。こうして、大きい固定穴に確実な固定がもたらされる。同時に、より細い歯冠部は幾つかの利点をもたらす。第１陥凹を大きくする必要が無く、すなわち削られる骨組織の量が限定される。これは患者にも優しく、かつマキシラの充分な残存骨組織が残るので、機械的強度が脅かされない。加えて、歯冠部の占める容積が減少するので、周囲組織の潜在的刺激が最小化される。さらに、インプラント利用可能な狭い空間に複数のそのような医療用インプラントを植設することが容易になる。歯科インプラントの機械的安定性およびそれに取り付けられる歯科修復物の制度が維持される。
【００８７】
一実施形態では、頭蓋骨は患者の頭蓋の顔面側のくぼみ位置の頬骨であり、筒状穴の穿孔は頬骨における筒状穴の穿孔であり、穴の穿孔はくぼみの長手方向延長に実質的に沿って行われる。第１陥凹は、頬骨に穴を穿孔するときにドリルのための案内路として使用することができ、それによってマキシラの外面の第１陥凹は頬骨の穴と整列する。
【００８８】
該方法はさらに、固定穴を形成する基部のための案内路として第１陥凹を使用することを含み、それによって固定穴の第１陥凹との整列が達成される。固定穴は第１陥凹からの視線に沿って形成することができる。固定穴の形成は完全な可視性の下で行うことができ、したがって医療手技の外科的作業領域の神経または血管のような敏感な解剖学的構造の損傷を防止する。
【００８９】
マキシラの顔面骨組織は、マキシラの外側に歯槽堤に隣接して位置するかもしれない。
【００９０】
根尖固定部分を持つ医療用インプラントの植設は、根尖固定部分を固定穴内で骨並置状態にすることを含むことができる。医療用インプラントの歯冠端部分は、第１陥凹で骨組織に並置させることができる。こうして、植設されたときに第１陥凹は医療用インプラントを支持することができる。
【００９１】
図５Ａおよび５Ｂに示す比較から分かるように、従来のインプラントと比較して、レバーアームを最小化することができ、医療用インプラントに対する曲げモーメントを最小化することができる。曲げモーメントの最小化は、インプラントで支持される歯科修復物の長期安定性にとって有利である。本発明に係る整列されたインプラントは、整列したアバットメントの使用さえも可能にする。
【００９２】
該方法は、固定穴を形成する前に、頭蓋骨における骨入口部位の位置に印を付けるステップを含むことができる。
【００９３】
該方法は、医療用インプラントの非螺刻部分を粘膜の下に配置することを含み、粘膜のカタルまたは刺激のような状態を予防的に治療または防止することができる。
【００９４】
第１陥凹を形成する前に、患者のマキシラの残存歯を抜歯することができる。
【００９５】
該方法は、マキシラの歯槽頂でマキシラの歯肉を切開するステップを含むことができる。
【００９６】
該方法は、マキシラ歯槽頂の内側および外側に歯肉弁を形成するステップと、外側歯肉弁を患者のマキシラの歯槽頂からマキシラに隣接する頬骨まで拡張するステップとを含むことができる。
【００９７】
内側歯肉弁は、良好な可視性の外科的作業領域を形成するために、一時的に縫合することができる。
【００９８】
骨土台を形成するために軟骨組織を除去することによって、略平面状の骨面をマキシラの歯槽頂に形成することができる。それによって歯科修復物を固定するための良好な基礎がもたらされる。
【００９９】
植設後の歯肉の縫合により、医療手技は終了する。
【０１００】
医療手技に適用される医療用インプラントは、上述した実施形態に係る医療用インプラントとすることができる。
【０１０１】
特定の実施形態では、医療用インプラントを患者に植設する方法は、以下のステップを含み、これらのステップの幾つかは、他の実施形態では別の順序で行うかあるいは省略することができる。
６１０：患者のマキシラの残存歯を抜歯する。
６２０：マキシラの歯肉を切開する。
６３０：マキシラの歯槽頂の内側および外側に歯肉弁を形成する。
６４０：外側歯肉弁を患者のマキシラからマキシラに隣接するオスザイゴマティクスまで拡張する。
６５０：視線を形成するために内側歯肉弁を一時的に縫合する。
６６０：依然として存在する歯断片をマキシラから除去する。
６７０：骨土台を形成するために軟骨組織を除去することによって、歯槽頂に略平面状の骨面を形成する
６８０：オスザイゴマティクスにドリル穴入口の位置の印を付ける
６９０：マキシラ外側にオスザイゴマティクスのドリル穴入口の位置と整列した陥凹を形成する。陥凹はマキシラの外側骨面に形成され、それはマキシラの顔面側に向けられる。陥凹は頬骨の方向に向けられた長手方向延長を有するように作られる。
７００：オスザイゴマティクスのドリル穴入口の位置からオスザイゴマティクスに陥凹と整列する穴を穿孔する。陥凹は、頬骨に穴を穿孔するときにドリルのための案内路として使用することができ、それによってマキシラの外面の陥凹は頬骨の穴と整列する。穿孔作業は完全な可視性の下で実行され、したがって医療手技の外科的作業領域の神経または血管のような敏感な解剖学的構造の損傷が回避される。
７１０：根尖部をドリル穴内で骨並置し、医療用インプラントの歯冠部を陥凹に配置して、医療用インプラントを植設する。医療用インプラントの非螺刻部分は粘膜の下に配置され、したがって粘膜のカタルまたは刺激が回避される。粘膜は医療用インプラントの非螺刻部分の粗面を少なくとも部分的に包埋することができる。
７２０：アバットメントまたは歯科修復物の固定のために医療用インプラントの歯冠端が歯肉から延出したまま、歯肉を縫合することによって医療手技は収量する。
【０１０２】
医療用インプラントは、例えば図２および３に関連して上述したタイプとすることができる。
【０１０３】
歯科修復物を形成する方法において、上述した医療用インプラントを患者に植設する方法が適用される。インプラントの歯冠端におけるインプラントの接続界面の空間位置を考慮して、ブリッジのような歯科修復物が作製される。複数の医療用インプラントを患者に設けることができる。その後、歯科修復物が、マキシラの歯槽頂に位置する歯冠側で少なくとも１つの医療用インプラントの接続界面に固定される。
【０１０４】
上述した方法のさらなる利点は、患者が臨床的に症状の無い洞を持つ必要が無いことである。術前検査が容易になる。広範囲の患者を治療することができる。
【０１０５】
本発明を特定の実施形態に関連して上述した。しかし、上記以外の実施形態も本発明の精神および範囲内で同等に可能である。ハードウェアまたはソフトウェアによって当該方法を実行する、上記とは異なる方法ステップ、異なる順序の方法ステップなどを、本発明の精神および範囲内で提供することができる。さらに、本発明の異なる特徴およびステップを、上で記載したものとは異なる組合せで組み合わせることができる。本発明の範囲は、付属の特許請求の範囲によってのみ限定される。
【図１Ａ−１Ｂ】
2011527200.tif 000003
【図２Ａ−２Ｃ】
2011527200.tif 000004
【図３Ａ−３Ｃ】
2011527200.tif 000005
【図４Ａ−４Ｃ】
2011527200.tif 000006
【図５Ａ−５Ｂ】
2011527200.tif 000007
【図６】
2011527200.tif 000008
【国際調査報告】
2011527200.tif 000009
2011527200.tif 000010
2011527200.tif 000011